(57)【特許請求の範囲】
【請求項１】
被写体を撮像できる撮像部と、
通信に利用できる無線式の通信部と、
前記通信部を操作するための通信用操作部と、
前記通信用操作部から入力された情報を表示する表示部と、
前記通信用操作部が設けられている操作側筐体と、
前記表示部が設けられている表示側筐体と、
前記操作側筐体および前記表示側筐体を端部において連結するヒンジ機構と、
前記操作側筐体および前記表示側筐体がなす角度が通信用の角度であるときは、前記通信部による通信を許容し、前記通信用の角度と異なる撮像用の角度であるときは、前記撮像部による撮像を許容すると共に前記通信部による通信を禁止する制御部と、
前記通信部による通話のときに音声が入力される音声入力部と、
音声を録音できる録音部と
を備え、
前記制御部は、
前記操作側筐体および前記表示側筐体が前記撮像用の角度をなすときは、前記音声入力部に入力された音声を前記録音部に録音させ、
前記操作側筐体および前記表示側筐体が前記撮像用の角度をなすときと、前記通信用の角度をなすときとの間で、前記音声入力部の感度を変更する
ことを特徴とする通信機能付き撮像装置。
【請求項２】
被写体を撮像できる撮像部と、
通信に利用できる無線式の通信部と、
前記通信部を操作するための通信用操作部と、
前記通信用操作部から入力された情報を表示する表示部と、
前記通信用操作部が設けられている操作側筐体と、
前記表示部が設けられている表示側筐体と、
前記操作側筐体および前記表示側筐体を端部において連結するヒンジ機構と、
前記操作側筐体および前記表示側筐体がなす角度が通信用の角度であるときは、前記通信部による通信を許容し、前記通信用の角度と異なる撮像用の角度であるときは、前記撮像部による撮像を許容すると共に前記通信部による通信を禁止する制御部と、
前記通信部による通話のときに音声が入力される音声入力部と、
音声を録音できる録音部と
を備え、
前記制御部は、
前記操作側筐体および前記表示側筐体が前記撮像用の角度をなすときは、前記音声入力部に入力された音声を前記録音部に録音させ、
前記操作側筐体および前記表示側筐体が前記撮像用の角度をなすときは、前記音声入力部をステレオ入力可能に設定し、前記操作側筐体および前記表示側筐体が前記通信用の角度をなすときは、前記音声入力部をモノラル入力可能に設定する
ことを特徴とする通信機能付き撮像装置。
【請求項３】
前記制御部は、前記操作側筐体および前記表示側筐体が前記撮像用の角度をなすときは、前記表示部に表示される内容を、前記通信用操作部から入力された情報から前記撮像部により取得された画像に切り替えることを特徴とする請求項１又は請求項２に記載の通信機能付き撮像装置。
【請求項４】
前記通信用操作部は、
複数の操作キー
を有し、
前記制御部は、前記操作側筐体および前記表示側筐体が前記撮像用の角度をなすときは、前記通信用操作部が有する前記複数の操作キーの一つに前記撮像部に撮像を行うタイミングを与えるレリーズスイッチとしての機能を与えることを特徴とする請求項１乃至請求項３のいずれかに記載の通信機能付き撮像装置。
【請求項５】
前記撮像部を操作するための撮像用操作部
をさらに備え、
前記制御部は、前記操作側筐体および前記表示側筐体が前記撮像用の角度をなすときは、前記撮像用操作部を操作可能とすると共に前記通信用操作部を操作不能にし、前記操作側筐体および前記表示側筐体が前記通信用の角度をなすときは、前記通信用操作部を操作可能とすると共に前記撮像用操作部を操作不能にすることを特徴とする請求項１乃至請求項４のいずれかに記載の通信機能付き撮像装置。
【請求項６】
前記通信部による通話のときに利用される音声出力部
をさらに備え、
前記制御部は、前記操作側筐体および前記表示側筐体が前記撮像用の角度をなすときは、前記音声出力部を用いて前記録音部に録音されている内容を再生することを特徴とする請求項１乃至請求項５のいずれかに記載の通信機能付き撮像装置。
【請求項７】
前記撮像部は、
被写体を撮像するための光学系と、
前記光学系の焦点距離を調節する焦点距離調節部と
を有し、
前記焦点距離調節部は、前記操作側筐体および前記表示側筐体が前記通信用の角度をなすときと、前記操作側筐体および前記表示側筐体が前記撮像用の角度をなすときとの間で、前記光学系の焦点距離を変更することを特徴とする請求項１乃至請求項６のいずれかに記載の通信機能付き撮像装置。
【請求項８】
前記撮像部は、
撮像時の絞りを調節する絞り調節部
をさらに有し、
前記絞り調節部は、前記操作側筐体および前記表示側筐体が前記通信用の角度をなすときと、前記操作側筐体および前記表示側筐体が前記撮像用の角度をなすときとの間で、前記絞りを変更することを特徴とする請求項１乃至請求項７のいずれかに記載の通信機能付き撮像装置。
【請求項９】
前記撮像部は、
焦点の合う焦点位置を調節する焦点位置調節部
を有し、
前記焦点位置調節部は、前記操作側筐体および前記表示側筐体が前記通信用の角度をなすときと、前記操作側筐体および前記表示側筐体が前記撮像用の角度をなすときとの間で、前記焦点位置を変更することを特徴とする請求項１乃至請求項８のいずれかに記載の通信機能付き撮像装置。
【発明の詳細な説明】
【０００１】
【発明の属する技術分野】
本発明は、通信機能付き撮像装置に関する。特に本発明は、二つの筐体がなす角度により機能が異なる通信機能付き撮像装置に関する。
【０００２】
【従来の技術】
携帯通信端末および画像撮像装置が小型化したことにより、通信機能を備えた画像撮像装置が、従来の携帯電話と同程度の大きさで製品化されるようになった。このような多機能化した携帯端末は、小さな筐体上に、機能を切り替える機能切替ボタンや、それぞれの機能に対応した操作ボタンをさらに備える必要があった。そのため、このような携帯端末には、ユーザが誤操作したり操作に手間取ったりするという操作性の問題があった。特開平８−３２１８６３号公報は、そのような問題を解決する発明として、筐体を開いた状態で映像通信可能にし、筐体を折り畳んだ状態で音声通信可能にするスイッチを設けた携帯用無線通信装置を開示している。一方、特開平１１−１１２８６０号公報は、撮影カメラ部の方向を検出する方向センサの出力に対応して機能モードを選択するデジタル電子カメラを開示している。
【０００３】
【発明が解決しようとする課題】
しかしながら、特開平８−３２１８６３号公報に開示された方法によると、３つの筐体を必要とし、構造が複雑であった。また、特開平１１−１１２８６０号公報に開示された方法によると、撮影カメラ部の方向に基づき、撮影モードとテレビ電話モードとに切り替える。この方法の場合、例えば、撮影カメラ部を内側に向けてデジタル電子カメラをテレビ電話に設定するため、撮影カメラ部を外側に向きを変えることができず、ユーザが液晶モニタを見ながら周囲を撮影するのに不便であった。
【０００４】
そこで本発明は、上記の課題を解決することのできる通信機能付き撮像装置を提供することを目的とする。この目的は特許請求の範囲における独立項に記載の特徴の組み合わせにより達成される。また従属項は本発明の更なる有利な具体例を規定する。
【０００５】
【課題を解決するための手段】
即ち、本発明の第１の形態によると、通信機能付き撮像装置は、被写体を撮像できる撮像部と、通信に利用できる無線式の通信部と、前記通信部を操作するための通信用操作部と、前記通信用操作部から入力された情報を表示する表示部と、前記通信用操作部が設けられている操作側筐体と、前記表示部が設けられている表示側筐体と、前記操作側筐体および前記表示側筐体を端部において連結するヒンジ機構と、前記操作側筐体および前記表示側筐体がなす角度が通信用の角度であるときは、前記通信部による通信を許容し、前記通信用の角度と異なる撮像用の角度であるときは、前記撮像部による撮像を許容すると共に前記通信部による通信を禁止する制御部と、前記通信部による通話のときに音声が入力される音声入力部と、音声を録音できる録音部とを備え、前記制御部は、前記操作側筐体および前記表示側筐体が前記撮像用の角度をなすときは、前記音声入力部に入力された音声を前記録音部に録音させ、前記操作側筐体および前記表示側筐体が前記撮像用の角度をなすときと、前記通信用の角度をなすときとの間で、前記音声入力部の感度を変更する。
【０００６】
本発明の第２の形態によると、通信機能付き撮像装置は、被写体を撮像できる撮像部と、通信に利用できる無線式の通信部と、前記通信部を操作するための通信用操作部と、前記通信用操作部から入力された情報を表示する表示部と、前記通信用操作部が設けられている操作側筐体と、前記表示部が設けられている表示側筐体と、前記操作側筐体および前記表示側筐体を端部において連結するヒンジ機構と、前記操作側筐体および前記表示側筐体がなす角度が通信用の角度であるときは、前記通信部による通信を許容し、前記通信用の角度と異なる撮像用の角度であるときは、前記撮像部による撮像を許容すると共に前記通信部による通信を禁止する制御部と、前記通信部による通話のときに音声が入力される音声入力部と、音声を録音できる録音部とを備え、前記制御部は、前記操作側筐体および前記表示側筐体が前記撮像用の角度をなすときは、前記音声入力部に入力された音声を前記録音部に録音させ、前記操作側筐体および前記表示側筐体が前記撮像用の角度をなすときは、前記音声入力部をステレオ入力可能に設定し、前記操作側筐体および前記表示側筐体が前記通信用の角度をなすときは、前記音声入力部をモノラル入力可能に設定する。
【０００７】
前記制御部は、前記操作側筐体および前記表示側筐体が前記撮像用の角度をなすときは、前記表示部に表示される内容を、前記通信用操作部から入力された情報から前記撮像部により取得された画像に切り替える。前記通信用操作部は、複数の操作キーを有し、前記制御部は、前記操作側筐体および前記表示側筐体が前記撮像用の角度をなすときは、前記通信用操作部が有する前記複数の操作キーの一つに前記撮像部に撮像を行うタイミングを与えるレリーズスイッチとしての機能を与える。前記撮像部を操作するための撮像用操作部をさらに備え、前記制御部は、前記操作側筐体および前記表示側筐体が前記撮像用の角度をなすときは、前記撮像用操作部を操作可能とすると共に前記通信用操作部を操作不能にし、前記操作側筐体および前記表示側筐体が前記通信用の角度をなすときは、前記通信用操作部を操作可能とすると共に前記撮像用操作部を操作不能にする。前記通信部による通話のときに利用される音声出力部をさらに備え、前記制御部は、前記操作側筐体および前記表示側筐体が前記撮像用の角度をなすときは、前記音声出力部を用いて前記録音部に録音されている内容を再生する。
【０００８】
前記撮像部は、被写体を撮像するための光学系と、前記光学系の焦点距離を調節する焦点距離調節部とを有し、前記焦点距離調節部は、前記操作側筐体および前記表示側筐体が前記通信用の角度をなすときと、前記操作側筐体および前記表示側筐体が前記撮像用の角度をなすときとの間で、前記光学系の焦点距離を変更する。前記撮像部は、撮像時の絞りを調節する絞り調節部をさらに有し、前記絞り調節部は、前記操作側筐体および前記表示側筐体が前記通信用の角度をなすときと、前記操作側筐体および前記表示側筐体が前記撮像用の角度をなすときとの間で、前記絞りを変更する。前記撮像部は、焦点の合う焦点位置を調節する焦点位置調節部を有し、前記焦点位置調節部は、前記操作側筐体および前記表示側筐体が前記通信用の角度をなすときと、前記操作側筐体および前記表示側筐体が前記撮像用の角度をなすときとの間で、前記焦点位置を変更する。
【００１１】
なお上記の発明の概要は、本発明の必要な特徴の全てを列挙したものではなく、これらの特徴群のサブコンビネーションも又発明となりうる。
【００１２】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００１３】
（第１の実施形態）
図１は、本発明に係る通信機能付き撮像装置の一実施形態であるデジタルカメラ１０の斜視図および縦断面の概略図である。デジタルカメラ１０は、無線式の通信機能を備え、音声による通話を可能にする。さらに、デジタルカメラ１０は、画像を撮像する撮像機能も備え、通信機能と撮像機能を組み合わせてテレビ電話として用いることもできる。図１（ａ）に示すように、デジタルカメラ１０は、通信機能を実現させる部材として、通信用操作キー１１４、通信用操作キー１１４から入力された電話番号等を表示するＬＣＤモニタ１０２、通話時に音声を入力するマイク１３２、通話時に音声を出力するスピーカ１３６、および無線通信を行う送受信部１５２を備える。デジタルカメラ１０は、さらに、撮像機能を実現する部材として、ヒンジ機構２０６に光学系２２を備える。
【００１４】
デジタルカメラ１０は、通信用操作キー１１４が設けられている操作側筐体２０２と、ＬＣＤモニタ１０２が設けられている表示側筐体２０４とを備える。操作側筐体２０２と表示側筐体２０４は、端部においてヒンジ機構２０６により連結されている。操作側筐体２０２および表示側筐体２０４は、ヒンジ機構２０６により、複数の角度をなして、形態を保持することができる。
【００１５】
本実施形態において、デジタルカメラ１０は、撮像モード、テレビ電話モード、および通話モードの３つのモードを有する。撮像モードでは、デジタルカメラ１０の撮像機能が利用可能となり、通信機能は利用不可能となる。したがって、ユーザは、デジタルカメラ１０を用いて被写体を撮影することができるが、通話を行うことはできない。一方、通話モードでは、デジタルカメラ１０の通信機能が利用可能となるが、撮像機能は利用不可能となる。このために、ユーザは、デジタルカメラ１０を用いて他人と通話できるが、被写体を撮影することはできない。テレビ電話モードでは、デジタルカメラ１０の撮像機能と通信機能の両方が利用可能となる。したがって、ユーザは、通話をしながら被写体の撮影が行える。撮影された被写体の画像は通信機能により通話の相手方へ送信される。
【００１６】
本実施形態では、デジタルカメラ１０のモードは、操作側筐体２０２と表示側筐体２０４とがなす角度により決まる。すなわち、操作側筐体２０２および表示側筐体２０４が、図１（ｂ）に示すような撮像用の角度をなす場合、デジタルカメラ１０は撮像モードに設定される。また、デジタルカメラ１０は、操作側筐体２０２および表示側筐体２０４が、図１（ｃ）に示すような、撮像用の角度と異なるテレビ電話用の角度をなす場合、テレビ電話モードに、図１（ｄ）に示すような、撮像用およびテレビ電話用のいずれの角度とも異なる通話用の角度をなす場合、通話モードに、それぞれ設定される。
【００１７】
撮像用の角度は、ユーザがデジタルカメラ１０を用いて被写体を撮像しやすい角度に設定される。例えば、図１（ｂ）に示すように、撮像用の角度は略直角に設定される。この場合、ユーザは、操作側筐体２０２を机や壁など安定した平面に固定し、通信用操作キー１１４を押下することで、手ぶれを防止することができる。また、ユーザは、ヒンジ機構２０６を回転させることで、光学系２２の光軸の方向を変えることができる。例えば、ユーザは、図中に矢印で示したように、ＬＣＤモニタ１０２を見たときの視線方向に光学系２２の光軸を向けて撮像できる。
【００１８】
テレビ電話用の角度は、ユーザがデジタルカメラ１０をテレビ電話として用いるのに適した角度に設定されるのが好ましい。例えば、図１（ｃ）に示すように、テレビ電話用の角度は、直角よりもやや大きい角度に設定される。この場合、ユーザは、操作側筐体２０２を水平な面に置き、ＬＣＤモニタ１０２を斜め上方から見ながら、テレビ電話による通話を行う。テレビ電話モードで通信しているときは、図中に矢印で示したように、光学系２２の光軸をユーザの顔がある方向に向けてユーザの画像を通信相手に送信してもよいし、ヒンジ機構２０６を回転させて、光学系２２の光軸の方向を変え、周囲の画像を通信相手に送信してもよい。
【００１９】
通話用の角度は、通話に適した角度に設定されるのが好ましい。例えば、通話用の角度は、図１（ｄ）に示すように、従来の携帯電話が使用されているときの角度に設定される。通話用の角度は従来の携帯電話使用時の角度に設定しておくことで、ユーザは、苦労せず、通話モード設定のための角度を覚えることができる。通話モードのときは、光学系２２は、機能しないので、図１（ｄ）に示すように、デジタルカメラ１０の筐体内に隠して、光学系２２のレンズ等を保護する。
【００２０】
図２は、デジタルカメラ１０の構成を示す。このデジタルカメラ１０は、主に撮像ユニット２０、撮像制御ユニット４０、処理ユニット６０、表示ユニット１００、操作ユニット１１０、および通信ユニット１３０を含む。
【００２１】
撮像ユニット２０は、撮影および結像に関する機構部材および電気部材を含む。撮像ユニット２０はまず、映像を取り込んで処理を施す光学系２２、絞り２４、シャッタ２６、光学ＬＰＦ（ローパスフィルタ）２８、ＣＣＤ３０、および撮像信号処理部３２を含む。光学系２２は、フォーカスレンズやズームレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。
【００２２】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００２３】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００２４】
撮像ユニット２０はさらに、ファインダ３４を有してもよいが、本実施形態では、通話モード時に電話番号等を表示するＬＣＤモニタ１０２を、撮像モードの時には、ファインダとして兼用するので、ファインダ３４は必須ではない。
【００２５】
撮像制御ユニット４０は、ズーム駆動部４２、フォーカス駆動部４４、絞り駆動部４６、シャッタ駆動部４８、それらを制御する撮像系ＣＰＵ５０、測距センサ５２、および測光センサ５４をもつ。ズーム駆動部４２やフォーカス駆動部４４などの駆動部は、それぞれステッピングモータ等の駆動手段を有する。後述のレリーズスイッチの押下に応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は撮像系ＣＰＵ５０へ送られる。撮像系ＣＰＵ５０は、後述するメインＣＰＵ６２から指示されたフォーカス位置等の撮影情報に基づき、ズーム駆動部４２やフォーカス駆動部４４を制御して光学系２２のピントの調整を行う。
【００２６】
撮像系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００２７】
ユーザが映像の取込を指示したとき、ＣＣＤ３０が電荷蓄積を開始し、測光データから計算されたシャッタ時間の経過後、蓄積電荷が撮像信号処理部３２へ出力される。
【００２８】
処理ユニット６０は、デジタルカメラ１０全体、とくに処理ユニット６０自身を制御するメインＣＰＵ６２と、これによって制御されるメモリ制御部６４、ＹＣ処理部７０、オプション装置制御部７４、圧縮伸張処理部７８、通信Ｉ／Ｆ部８０を有する。メインＣＰＵ６２は、シリアル通信などにより、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００２９】
メインＣＰＵ６２には、キャラクタ生成部８４とタイマ８６が併設されている。タイマ８６は電池でバックアップされ、つねに日時をカウントしている。このカウント値から撮影日時に関する情報、その他の時刻情報がメインＣＰＵ６２に与えられる。キャラクタ生成部８４は、電話番号、通信相手情報、撮影日時、タイトル等の文字情報を発生し、この文字情報が適宜撮影画像に合成される
【００３０】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。一方、メインメモリ６８は一般にＤＲＡＭのように比較的安価で容量の大きなメモリで構成される。メインメモリ６８は、撮像ユニット２０や通話ユニット１３０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００３１】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（以下単に「圧縮データ」という）は、オプション装置制御部７４を介してオプション装置７６の一種であるメモリカードへ書き込まれる。
【００３２】
処理ユニット６０はさらにエンコーダ７２、角度検知部９４を有する。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張処理部７８へ与えられる。つづいて、圧縮伸張処理部７８で必要な伸張処理が施されたデータはエンコーダ７２によってビデオ信号へ変換される。
【００３３】
角度検知部９４は、操作側筐体２０２および表示側筐体２０４がなす角度を検知し、検知した角度データをメインＣＰＵ６２に出力する。メインＣＰＵ６２は、角度データに基づき、デジタルカメラ１０の機能の切り替えを行う。機能の切り替えについては、後ほど詳述する。
【００３４】
オプション装置制御部７４は、オプション装置７６に認められる信号仕様およびメインバス８２のバス仕様にしたがい、メインバス８２とオプション装置７６の間で必要な信号の生成、論理変換、または電圧変換などを行う。デジタルカメラ１０は、オプション装置７６として前述のメモリカードのほかに、例えばＰＣＭＣＩＡ準拠の標準的なＩ／Ｏカードをサポートしてもよい。その場合、オプション装置制御部７４は、ＰＣＭＣＩＡ用バス制御ＬＳＩなどで構成してもよい。
【００３５】
通信Ｉ／Ｆ部８０は、デジタルカメラ１０がサポートする通信仕様、たとえばＵＳＢ、ＲＳ−２３２Ｃ、イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、カラオケ機、ゲーム機等の外部機器との間で独自のＩ／Ｆによるデータ授受を行う構成としてもよい。
【００３６】
表示ユニット１００は、通信用操作キー１１４から入力された情報を表示する表示部の一例としてＬＣＤモニタ１０２を有する。ＬＣＤモニタ１０２はＬＣＤドライバであるモニタドライバ１０６によって制御される。ＬＣＤモニタ１０２は、例えば２インチ程度の大きさで、通話モードのときは、通信相手の電話番号などを表示し、撮像モードのときは、撮像した被写体画像等、テレビ電話モードのときは、受信した画像等を表示する。
【００３７】
操作ユニット１１０は、ユーザがデジタルカメラ１０の動作などを設定または指示するために必要な機構および電気部材を含む。電源スイッチ１１２は、デジタルカメラ１０の電源のオンオフを決める。通信用操作キー１１４は、通信ユニット１３０を操作するためのキーである。通信用操作キー１１４には、オンフックキー、オフフックキー、電話番号をダイヤルするための数字キー等が含まれる。本実施形態では、通信用操作キー１１４の中の１つのキー（以下、「特殊キー」という）が、半押しおよび全押しを行うことができる二段階押し込み構造を有する。特殊キーは、テレビ電話モード、および通話モードでは、通信ユニット１３０を操作するためのキーとして機能する。一方、特殊キーは、撮像モードでは、レリーズスイッチとして機能する。すなわち、撮像モードにおいて特殊キーを半押しすると、ＡＦおよびＡＥがロックし、全押しすると、撮影画像の取込が行われ、必要な信号処理、データ圧縮等の後、メインメモリ６８、オプション装置７６等に記録される。操作ユニット１１０はこれらのスイッチの他、回転式のモードダイヤルや十字キーなどによる設定を受け付けてもよく、それらは図１において機能設定部１１６と総称されている。操作ユニット１１０で指定できる動作または機能の例として、「ファイルフォーマット」、「特殊効果」、「印画」、「決定／保存」、「表示切換」等がある。
【００３８】
通信ユニット１３０は、無線による音声通信や音声の録音を行うための機構部材および電気部材を含む。通信ユニット１３０は、マイク１３２、マイク増幅器１３４、スピーカ１３６、録音部１３８、送受信部１５２、および変復調回路１５４を有する。マイク１３２は、通話時に音声が入力される音声入力部の一例であり、ステレオ方式での入力とモノラル方式での入力の両方が可能である。マイク１３２のステレオ方式とモノラル方式とは、メインＣＰＵ６２の制御により切り替えられる。マイク増幅器１３４は、マイク１３２の感度を変化させる。スピーカ１３６は、通話時に音声が出力される音声出力部の一例である。録音部１３８は、入力された音声を録音し、再生の指示があれば、録音した音声をスピーカ１３６に出力する。送受信部１５２は、アナログデータを無線で送受信し、変復調回路１５４は、Ａ／Ｄ変換を行う。通信ユニット１３０は、画像データの送受信もできる。
【００３９】
図３は、メインＣＰＵ６２がメインメモリ６８や不揮発性メモリ６６に格納またはロードされたプログラムを実行することで実現される処理を示す。まず、メインＣＰＵ６２は、操作側筐体２０２および表示側筐体２０４のなす角度を、角度検知部９４から取得し、取得した角度に基づき、デジタルカメラ１０の諸機能の設定または切り替えを行う。具体的にいうと、メインＣＰＵ６２は、焦点距離、焦点位置（ピント位置）、および絞りを設定する撮像モード設定処理３０２と、ＬＣＤモニタ１０２に表示させる内容を切り替える表示切替処理３０４と、通信用操作キー１１４に撮像用の機能を設定する操作キー機能設定処理３０６とを行う。
【００４０】
撮像モード設定処理３０２では、メインＣＰＵ６２は、角度検知部９４から取得した角度がテレビ電話用の角度であるか撮像用の角度であるかにより、光学系２２の焦点距離と、焦点位置と、絞り２４の開口の大きさとを変更する。例えば、テレビ電話モードでは、光学系２２の焦点距離および焦点位置は、デジタルカメラ１０を保持しているユーザの顔が撮像できるように設定される。一方、撮像モードの場合には、周囲の風景を撮像するのに適したテレビ電話モード時より長い焦点距離および遠い焦点位置に設定する。ここで、焦点位置とは、ピントの合う位置のことである。つまり、メインＣＰＵ６２は、テレビ電話モードの場合は、デジタルカメラ１０を保持しているユーザの顔にピントが合うような焦点位置を設定し、撮像モードの場合は、周囲の風景にピントが合うようにテレビ電話モード時より遠い焦点位置を設定する。焦点距離の変更は、焦点距離調節部の一例であるズームレンズ駆動部４２がズームレンズの位置を変えることで実現されてもよい。また、焦点位置の変更は、焦点位置調節部の一例であるフォーカス駆動部４４がフォーカスレンズの位置を変えることで実現されてもよい。
【００４１】
テレビ電話モードの場合、光学系２２からユーザの顔までの距離はある程度想定できるので、被写界深度はそれほど深くする必要はない。一方、撮像モードの場合、デジタルカメラ１０から様々な距離にある複数の被写体を同時に撮像する場面が多いので、テレビ電話モードより被写界深度が深い方がよい。そこで、メインＣＰＵ６２は、角度検知部９４から取得した角度が撮像用の角度の場合、テレビ電話モード時よりも絞り２４の開口を小さくするよう撮像系ＣＰＵ５０に指示し、被写界深度を深くする。
【００４２】
表示切替処理３０４では、メインＣＰＵ６２は、角度検知部９４から取得した角度に基づいてＬＣＤモニタ１０２に表示する内容を切り替える。すなわち、メインＣＰＵ６２は、角度検知部９４から取得した角度が通話用の角度の場合は、ＬＣＤモニタ１０２に通信用操作キー１１４で入力された通信相手の電話番号等を表示させ、テレビ電話用の角度の場合は、通信相手から受信した画像等を表示させる。一方、角度検知部９４から取得した角度が撮像用の角度の場合は、ＬＣＤモニタ１０２に撮像ユニット２０が撮像した画像を表示させる。
【００４３】
また、操作キー機能設定処理３０６では、メインＣＰＵ６２は、角度検知部９４から取得した角度に基づいて通信用操作キー１１４の機能を設定する。すなわち、角度検知部９４から取得した角度が通話用またはテレビ電話用の角度の場合、メインＣＰＵ６２は、通信用操作キー１１４に通信ユニット１３０を操作する機能を設定する。一方、角度検知部９４から取得した角度が撮像用の角度の場合は、メインＣＰＵ６２は、通信用操作キー１１４の一つである特殊キーにレリーズスイッチとしての機能を与える。また、メインＣＰＵ６２は、同時に、オンフックキー、オフフックキーなどの通信時にのみ用いられるキーの機能をなくす。
【００４４】
上記のように、操作側筐体２０２および表示側筐体２０４のなす角度が、撮像用の角度をなす場合に、メインＣＰＵ６２は、デジタルカメラ１０に撮像用の機能を設定するが、この場合、同時に、デジタルカメラ１０は、周囲の音声を録音する機能も設定される。以下、撮像モードにおける録音機能について述べる。
【００４５】
メインＣＰＵ６２は、さらに、マイク出力先設定処理３０８と、マイク感度設定処理３１０と、ステレオ／モノラル切替処理３１２とを行う。マイク出力先設定処理３０８では、メインＣＰＵ６２は、角度検知部９４から取得した角度に基づきマイク１３２から入力された音声の出力先を設定する。すなわち、角度検知部９４から取得した角度が通話用またはテレビ電話用の角度の場合は、メインＣＰＵ６２は、マイク１３２から入力された音声を、変復調回路１５４に出力させ、変調処理を施した後、送受信部１５２を用いて通信相手に送信させる。一方、角度検知部９４から取得した角度が撮像用の角度の場合は、メインＣＰＵ６２は、マイク１３２から入力された音声を録音部１３８に出力可能にする。そして、デジタルカメラ１０は、例えば、特殊キーを押下した場合に、押下後の所定時間、周囲の音声をマイク１３２で取得し録音部１３８に録音する。
【００４６】
さらに、マイク感度設定処理３１０では、メインＣＰＵ６２は、角度検知部９４から取得した角度に基づき、マイク１３２の感度を変える。すなわち、角度検知部９４から取得した角度が撮像用の角度であるときは、メインＣＰＵ６２は、マイク増幅器１３４に、マイク１３２の感度を通話モード時より高くするよう指示する。通話モード時では、ユーザはマイク１３２に口を近づけて音声を入力する。このとき、マイク１３２は、周囲の音を拾わないような感度に設定してある。一方、撮像モードの場合には、周囲の音を録音することが目的であるため、マイク１３２の感度を通話モードのときよりも高くするのが好ましい。
【００４７】
ステレオ／モノラル切替処理３１２では、メインＣＰＵ６２は、角度検知部９４から取得した角度に基づき、マイク１３２の音声入力方式をステレオ方式またはモノラル方式に切り替える。すなわち、角度検知部９４から取得した角度が通話用またはテレビ電話用の場合、メインＣＰＵ６２は、マイク１３２の入力方式をモノラル方式にする。一方、角度検知部９４から取得した角度が撮像用の角度の場合は、メインＣＰＵ６２は、マイク１３２の入力方式をステレオ方式にする。デジタルカメラ１０は、撮像モードでは、周囲の音声を立体的に再現するために、ステレオ方式で音声の入力を行う。
【００４８】
また、メインＣＰＵ６２は、スピーカ設定処理３１４を行う。スピーカ１３６は、通話モード時は、通信相手から受信した音声等を出力する。一方、角度検知部９４から取得した角度が撮像用の角度であるときは、メインＣＰＵ６２は、録音部１３８に録音されている音声をスピーカ１３６で再生できるように通信ユニット１３０を設定する。
【００４９】
以上の構成による主な動作は以下のとおりである。まずデジタルカメラ１０の電源スイッチ１１２がオンされ、カメラ各部に電力が供給される。角度検知部９４が、操作側筐体２０２および表示側筐体２０４がなす角度を検知し、メインＣＰＵ６２に出力する。メインＣＰＵ６２は、角度検知部９４から取得した角度が、撮像用、テレビ電話用、通話用のいずれであるかを判断し、判断したモードに対応した機能をデジタルカメラ１０に設定する。
【００５０】
角度検知部９４から取得した角度が撮像用の角度である場合、メインＣＰＵ６２は、デジタルカメラ１０を撮像モードに設定する。メインＣＰＵ６２はレリーズスイッチとしての機能を与えられた特殊キーの半押し状態を監視する。半押し状態が検出されたとき、メインＣＰＵ６２は測光センサ５４および測距センサ５２からそれぞれ測光データと測距データを得る。得られたデータと、撮像モード設定処理３１４で指定された焦点位置、焦点距離、および絞りに基づいて撮像制御ユニット４０が動作し、光学系２２の焦点位置、焦点距離、絞りなどの調整が行われる。つづいて特殊キーの全押し状態を監視する。撮像モードに設定されたＬＣＤモニタ１０２は、撮像ユニット２０が撮像している画像を表示し、ユーザは、このＬＣＤモニタ１０２の画像を見ながら構図をきめて、特殊キーを全押しする。特殊キーが全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け、オプション装置制御部７４を経由してオプション装置７６へ記録される。ユーザは、後ほどＬＣＤモニタ１０２で撮影画像を見ることができる。以上で一連の撮影動作が完了する。また、このとき、デジタルカメラ１０は、周囲の音声をステレオモードで録音、再生することができる。
【００５１】
一方、角度検知部９４から取得した角度が通話用の角度である場合、メインＣＰＵ６２は、デジタルカメラ１０を通話モードに設定する。このとき、デジタルカメラ１０は、通信ユニット１３０を用いた通話を可能とする。ユーザが通信用操作キー１１４を用いて通信相手の電話番号をダイヤルするか、通信相手からの呼び出し音が鳴っているときに通信用操作キー１１４を操作すると、デジタルカメラ１０は、無線による通話を開始する。ユーザは、マイク１３２に音声を入力すると、マイク１３２は、入力された音声を音声データに変換する。変復調回路１５４は、変換された音声データを変調し、送受信部１５２に出力する。送受信機１５２は、変調された音声データを通信相手の端末に無線により送信する。また、送受信機１５２が、通信相手から音声データを受信すると、変復調回路１５４が、受信した音声データを復調し、スピーカ１３４に出力する。スピーカ１３４は、復調された音声データを音声に変換し出力する。
【００５２】
角度検知部９４から取得した角度がテレビ電話用の角度である場合、メインＣＰＵ６２は、デジタルカメラ１０をテレビ電話モードに設定する。このとき、通信ユニット１３０は、上記の他に、撮像ユニット２０が取得した画像データを変調し、通信相手の端末に送信する。また、通信ユニット１３０は、通信相手から画像データを受信した場合、受信した画像データを復調し、表示ユニット１００に出力する。ＬＣＤモニタ１０２は、復調された画像データを、画像として表示する。
【００５３】
以上述べたように、本実施形態のデジタルカメラ１０によると、ユーザは、操作側筐体２０２と表示側筐体２０４の角度を変えることで、撮像モード、テレビ電話モード、通話モードの切り替えができる。また、通話用の角度等はユーザが使い慣れた角度に予め設定されているので、ユーザは、操作をあまり意識することなく、モードを切り替えることができる。
【００５４】
（第２の実施形態）
図４は、デジタルカメラ１０の変形例である切り替え型デジタルカメラ４００の斜視図および縦断面図である。図４（ａ）に示すように、切り替え型デジタルカメラ４００は、撮像用操作キー４１４をさらに備え、マイク１３２の代わりに第１の音声入力部４３２および第２の音声入力部４３４を備える。他の点は、第１の実施形態のデジタルカメラ１０と同じである。以下、変更点を中心に述べる。
【００５５】
切り替え型デジタルカメラ４００は、通信用操作キー１１４の他に、さらに、撮像用操作キー４１４を備える。撮像用操作キー４１４は、例えば、レリーズスイッチ４１４ａとズームキー４１４ｂとを含む。このため、切り替え型デジタルカメラ４００は、通信用操作キー１１４の一部を撮像のために用いる必要はない。
【００５６】
第１の音声入力部４３２は、高指向性マイク４３２であり、特定方向からの音声を選択的に取り込み、電気信号に変換する。高指向性マイク４３２は、デジタルカメラ１０のマイク１３２と同様の位置に配置され、主に、通話モードとテレビ電話モードの時に用いられる。また、第２の音声入力部４３４は、低指向性マイク４３４であり、高指向性マイク４３２より指向性が低い。低指向性マイク４３４は、主に、周囲の音声を録音する場合の音声入力部として用いられる。
【００５７】
図５は、切り替え型デジタルカメラ４００の構成を示す。変更点のみを述べると、操作ユニット１１０に撮像用操作キー４１４をあらたに設け、通信ユニット１３０では、マイク１３２の代わりに高指向性マイク４３２および低指向性マイク４３４を設けた。
【００５８】
図６は、メインＣＰＵ６２がメインメモリ６８や不揮発性メモリ６６に格納またはロードされたプログラムを実行することで実現される切り替え型デジタルカメラ４００に対する制御処理を示す。撮像モード設定処理３０２、表示切替処理３０４、およびスピーカ設定処理３１４は、第１の実施形態と同様の制御処理を行う。第１の実施例と異なる処理として、メインＣＰＵ６２は、操作キー機能設定処理３０６の代わりに操作キー切替処理５０６を行い、マイク出力先設定処理、マイク感度設定処理、およびステレオ／モノラル切替処理の代わりにマイク切替処理５０８を行う。
【００５９】
角度検知部９４は、操作側筐体２０２および表示側筐体２０４がなす角度を検知し、メインＣＰＵ６２に出力する。操作キー切替処理５０６では、メインＣＰＵ６２が、角度検知部９４から取得した角度に基づき、特定の操作キーを操作可能にする。すなわち、メインＣＰＵ６２は、角度検知部９４から取得した角度が撮像用の角度をなすときは、撮像用操作キー４１４を操作可能にし、通信用操作キー１１４を操作不能にする。一方、角度検知部９４から取得した角度が通話用またはテレビ電話用の角度をなすときは、通信用操作キー１１４を操作可能にし、撮像用操作キー４１４を操作不能にする。
【００６０】
また、マイク切替処理５０８では、メインＣＰＵ６２が、角度検知部９４から取得した角度に基づき、特定のマイクを使用可能にする。すなわち、メインＣＰＵ６２は、角度検知部９４から取得した角度が通話用またはテレビ電話用の角度であるときは、高指向性マイク４３２を使用可能とし、角度検知部９４から取得した角度が撮像用の角度であるときは、低指向性マイク４３４を使用可能とする。
【００６１】
以上述べたように、本実施形態の切り替え型デジタルカメラ４００によると、操作側筐体２０２と表示側筐体２０４のなす角度で、切り替え型デジタルカメラ４００を特定のモードに設定した場合、そのモードで使用しない操作キーは使用不能となる。こうすることで、例えば、撮像モードのときにユーザが誤って通信用操作キー１１４を押下した場合であっても、切り替え型デジタルカメラ４００に影響をあたえずにすむ。また、周囲の音声を録音する撮像モードでは、指向性の低いマイクを使用可能とすることで、周囲の様々な方向からの音声を録音できる。一方、ユーザが口をマイクに近づけて音声入力する通話モードおよびテレビ電話モードでは、指向性の高いマイクを使用可能とすることで、切り替え型デジタルカメラ４００は、ユーザが発する音声を選択的に入力することができる。
【００６２】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００６３】
例えば、光学系２２をヒンジ機構２０６とは別の場所に設けてもよい。
【００６４】
図７は、光学系２２を筐体下端に設けたデジタルカメラ１０の変形例の斜視図および縦断面図である。図７（ａ）に示すように、デジタルカメラ１０は、操作側筐体２０２におけるヒンジ機構２０６の反対側の端部に、光学系２２を備える。このとき、光学系２２は、ヒンジ機構２０６の回転軸と平行な軸周りに回転可能に取り付けられるのが望ましい。例えば、デジタルカメラ１０は、操作側筐体２０２におけるヒンジ機構２０６の反対側の端部に、回転機構２０８を備える。回転機構２０８は、ヒンジ機構２０６の回転軸と平行な軸周りに回転可能である。そして、光学系２２は回転機構２０８に設けられ、回転機構２０８とともに光学系２２を回転させることができる。このデジタルカメラ１０の変形例では、操作側筐体２０２と表示側筐体２０４が図７（ｂ）に示すような角度をなすときは、デジタルカメラ１０は、撮像モードに設定される。同様に、デジタルカメラ１０は、図７（ｃ）の場合はテレビ電話モードに、図７（ｄ）の場合は通話モードに設定される。図７（ｄ）に示すように、回転機構２０８は、撮像しないときには、回転させて、光学系２２を筐体内に隠蔽することができる。
【００６５】
図８は、光学系２２を筐体上端に設けたデジタルカメラ１０の変形例の斜視図および縦断面図である。図８（ａ）に示すように、デジタルカメラ１０は、表示側筐体２０４におけるヒンジ機構２０６の反対側の端部に、回転機構２０８を備える。回転機構２０８は、ヒンジ機構２０６の回転軸と平行な軸周りに回転可能である。そして、光学系２２は、回転機構２０８に設けられる。このデジタルカメラ１０の変形例でも、操作側筐体２０２と表示側筐体２０４が図８（ｂ）に示すような角度をなすときは、デジタルカメラ１０は、撮像モードに設定される。同様に、デジタルカメラ１０は、図８（ｃ）の場合はテレビ電話モードに、図８（ｄ）の場合は通話モードに設定される。図８（ｄ）に示すように、回転機構２０８は、撮像しないときには、回転させて、光学系２２を筐体内に隠蔽することができる。
【００６６】
【発明の効果】
上記説明から明らかなように、本発明によれば、操作側筐体と表示側筐体とがなす角度で機能を切り替えることのできる通信機能付き撮像装置を提供することができる。
【図面の簡単な説明】
【図１】本発明に係る通信機能付き撮像装置の一実施形態であるデジタルカメラ１０の斜視図および縦断面の概略図である。
【図２】デジタルカメラ１０の構成を示す図である。
【図３】メインＣＰＵ６２がメインメモリ６８や不揮発性メモリ６６に格納またはロードされたプログラムを実行することで実現される処理を示す図である。
【図４】デジタルカメラ１０の変形例である切り替え型デジタルカメラ４００の斜視図および縦断面図である。
【図５】切り替え型デジタルカメラ４００の構成を示す図である。
【図６】メインＣＰＵ６２がメインメモリ６８や不揮発性メモリ６６に格納またはロードされたプログラムを実行することで実現される切り替え型デジタルカメラ４００に対する制御処理を示す図である。
【図７】光学系２２を筐体下端に設けたデジタルカメラ１０の変形例の斜視図および縦断面図である。
【図８】光学系２２を筐体上端に設けたデジタルカメラ１０の変形例の斜視図および縦断面図である。
【符号の説明】
１０  デジタルカメラ
２０  撮像ユニット
２２  光学系
２４  絞り
４０  撮像制御ユニット
４２  ズーム駆動部
４４  フォーカス駆動部
４６  絞り駆動部
５０  撮像系ＣＰＵ
６０  処理ユニット
６２  メインＣＰＵ
６６  不揮発性メモリ
６８  メインメモリ
９４  角度検知部
１００  表示ユニット
１０２  ＬＣＤモニタ
１１０  操作ユニット
１１４  通信用操作キー
１３０  通信ユニット
１３２  マイク
１３４  マイク増幅器
１３６  スピーカ
１３８  録音部
２０２  操作側筐体
２０４  表示側筐体
２０６  ヒンジ機構
２０８  回転機構
３０２  撮像モード設定処理
３０４  表示切替処理
３０６  操作キー機能設定処理
３０８  マイク出力先設定処理
３１０  マイク感度設定処理
３１２  ステレオ／モノラル切替処理
３１４  スピーカ設定処理
４００  切り替え型デジタルカメラ
４１４  撮像用操作キー
４３２  高指向性マイク
４３４  低指向性マイク
５０６  操作キー切替処理
５０８  マイク切替処理
【図１】
0003929704.tif 000002
【図２】
0003929704.tif 000003
【図３】
0003929704.tif 000004
【図４】
0003929704.tif 000005
【図５】
0003929704.tif 000006
【図６】
0003929704.tif 000007
【図７】
0003929704.tif 000008
【図８】
0003929704.tif 000009